【事件の表示】
　特願２０００−１７２６１３号「バンド」拒絶査定不服審判事件〔平成１３年１２月１８日出願公開、特開２００１−３４６８２１号〕について、次のとおり審決する。
【結　論】
　本件審判の請求は、成り立たない。
【理　由】
第１．手続の経緯
　本願は、平成１２年６月８日の出願であって、平成１５年１２月１８日付けで拒絶査定がなされ、これに対して、平成１６年２月５日に拒絶査定不服審判の請求がなされ、平成１６年２月１９日付けで手続補正がなされたものである。
　
第２．平成１６年２月１９日付けの手続補正についての補正却下の決定
［補正却下の決定の結論］
　平成１６年２月１９日付けの手続補正（以下、「本件補正」という。）を却下する。
　
［理由］
１．補正（特許請求の範囲）の内容
　本件補正は、平成１４年１２月２７日付け手続補正書により補正された特許請求の範囲（以下、「本件補正前の特許請求の範囲」という。）の請求項１〜６である
「【請求項１】　陰茎を絞扼することにより勃起を助長すると共に勃起を持続させるためのバンドであって、陰茎に巻き付け得る可撓性を有するバンド本体と、前記バンド本体の一端部が取り付けられると共にバンド本体の開放端側からバックル自体に挿通し、任意位置でバンド本体を係止し得るようにしたバックルとを備え、かつバックルはバックル自体の一方の端部側からバンド本体の端部が取り付けられている他方の端部側に向かってバンド本体を挿通し得るようにされ、しかもバンド本体の前面側で開放端寄りの所定範囲には多数の鋸歯状突起からなるラチエットが形成され、バックルには前記ラチエットに係止し得る単数もしくは複数の鋸歯状部を有する係止突部が前記バンド本体を挿通すべき部分に設けられて、バンド本体は締まる方向には移動させ得るが逆方向には移動できないようにバックルに係合し、前記係止突部とラチエットとの係合を外すことによって、バンド本体を係合したバックルから取り外し、あるいは自由に移動できるようにした係脱機構を設け、前記係脱機構はバックルがバックル本体とバックルカバーとに２分されると共にバックルカバーはその一端部で回動可能にバックル本体に取り付けられ、バックル本体にはバンド本体の一端部が連結されると共にバンド本体とバックルカバーとの間にバンド本体の挿入部が形成され、かつバックルカバーの内側部にはバンド本体のラチエットに係止させ得る単数もしくは複数の鋸歯状部を有する係止突部が設けられ、さらにバンド本体とバックルカバーには、両者を互いに掛け止めさせ得る凹凸部もしくは段付き部と引掛り等の掛止部を設け、前記バンド本体とバックルカバーとが互いに掛け止めされたとき、前記係止突部はラチエットに係止され、バックルカバーに設けた引掛かり等により前記掛け止めを外す方向の力を加えて、バンド本体とバックルとの係合が外れるように構成され、あるいは前記係脱機構はバックルに係合部が設けられてなり、しかも係合部は先端部と他端部にそれぞれ前記ラチエットに係止し得る係止突部とラチエットとの係合を外すための係合解除レバーとが形成され、かつ係合部はその中間部両側においてバックルと一体をなす連結部により回動方向に弾性変形可能に連結され、前記係止突部は前記連結部の弾性による復元力によりラチエットに係止され、係合解除レバーを操作して前記係止突部とラチエットとの係合が外れるようにし、かつ係合解除レバーの前記操作は係合解除レバーと対向する位置にバックル上に設けられた固定突部と係合解除レバーとを挟持することにより行うように構成され、あるいは前記係脱機構はバックルが前後面に沿う方向に前部バックル部と後部バックル部とに２分されると共にバックル自体の薄肉部によって両部は一側端部で開閉可能に連結され、後部バックル部にはバンド本体の一端部が連結されると共に前部バックル部と後部バックル部との間にはバンド本体の挿入部が形成され、かつ前部バックル部の内側部にはバンド本体のラチエットに係止させ得る単数もしくは複数の鋸歯状部を有する係止突部が設けられ、さらに前記前部バックル部と後部バックル部の開放端側には、両者を互いに掛け止めさせ得る凹凸部もしくは段付き部と引掛り等の掛止部を設け、前部バックル部と後部バックル部とが互いに掛け止めされたとき、前記係止突部はラチエットに係止され、前部バックル部もしくは前部バックル部に設けた引掛かり等により前記掛け止めを外す方向の力を加えて、バンド本体とバックルとの係合が外れるように構成されたバンド。
【請求項２】　請求項1記載のバンドにおいて、前記バンド本体とバックルは合成樹脂で構成されると共に、前記係脱機構はバックルがバックル本体とバックルカバーとに２分されると共にバックルカバーはその一端部で回動可能にバックル本体に取り付けられ、バックル本体にはバンド本体の一端部が連結されると共にバンド本体とバックルカバーとの間にバンド本体の挿入部が形成され、かつバックルカバーの内側部にはバンド本体のラチエットに係止させ得る単数もしくは複数の鋸歯状部を有する係止突部が設けられ、さらにバンド本体とバックルカバーには、両者を互いに掛け止めさせ得る凹凸部もしくは段付き部と引掛り等の掛止部を設け、前記バックル本体とバックルカバーとが互いに掛け止めされたとき、前記係止突部はラチエットに係止され、バックルカバーもしくはバックルカバーに設けた引掛かり等により前記掛け止めを外す方向の力を加えて、バンド本体とバックルとの係合が外れるようにしてなるバンド。
【請求項３】　請求項1記載のバンドにおいて、前記バンド本体とバックルは合成樹脂で構成されると共に、前記係脱機構はバックルに係合部が設けられてなり、しかも係合部は先端部と他端部にそれぞれ前記ラチエットに係止し得る係止突部とラチエットとの係合を外すための係合解除レバーとが形成され、かつ係合部はその中間部両側においてバックルと一体をなす連結部により回動方向に弾性変形可能に連結され、前記係止突部は前記連結部の弾性による復元力によりラチエットに係止され、係合解除レバーと該係合解除レバーと対向する位置にバックル上に設けられた固定突部とを挟持して操作することにより前記係止突部とラチエットとの係合が外れるようにしてなるバンド。
【請求項４】　請求項1記載のバンドにおいて、前記バンド本体とバックルは合成樹脂で構成されると共に、前記係脱機構はバックルが前後面に沿う方向に前部バックル部と後部バックル部とに２分されると共にバックル自体の薄肉部によって両部は開閉可能に連結され、後部バックル部にはバンド本体の一端部が連結されると共に前部バックル部と後部バックル部との間にはバンド本体の挿入部が形成され、かつ前部バックル部の内側部にはバンド本体のラチエットに係止させ得る単数もしくは複数の鋸歯状部を有する係止突部が設けられ、さらに前記前部バックル部と後部バックル部の開放端側には、両者を互いに掛け止めさせ得る凹凸部もしくは段付き部と引掛り等の掛止部を設け、前部バックル部と後部バックル部とが互いに掛け止めされたとき、前記係止突部はラチエットに係止され、前部バックル部もしくは前部バックル部に設けた引掛かり等により前記掛け止めを外す方向の力を加えて、バンド本体とバックルとの係合が外れるようにしてなるバンド。
【請求項５】　請求項２もしくは請求項４記載のバンドにおいて、前記バックルの係止突部は前記バックルカバーの内側もしくは前記前部バックル部の内側に基部付近が曲がった状態に突設された片持梁状部に鋸歯状突起が形成されてなり、片持梁状部の弾性によりバンド本体のラチエットに押し付けて係合させ得るようにしたバンド。
【請求項６】　請求項１〜請求項５のいずれか１項に記載のバンドにおいて、前記係止突部が係合され得る部分を除いたバンド本体の全体もしくは一部あるいはバックルの全体もしくは一部を柔軟粘着性クッション材で覆うようにしたバンド。」
を
「【請求項１】　陰茎を絞扼することにより勃起を助長すると共に勃起を持続させるためのバンドであって、陰茎に巻き付け得る可撓性を有するバンド本体と、前記バンド本体の一端部が取り付けられると共にバンド本体の開放端側からバックル自体に挿通し、任意位置でバンド本体を係止し得るようにしたバックルとを備え、バンド本体の前面側で開放端寄りの所定範囲には多数の鋸歯状突起からなるラチエットが形成され、
かつ
回動軸回りに
ると共に他端部には係合外し用突部が形成され、
前記回動軸と係合外し用突部との中間位置には基部付近が曲がった状態に片持梁部が突設されると共に片持梁部には
の
形成され、
バンド本体は締まる方向には移動させ得るが逆方向には移動できないようにバックルに係合し
係合外し用突部を引き起こすことにより
【請求項２】陰茎を絞扼することにより勃起を助長すると共に勃起を持続させるためのバンドであって、陰茎に巻き付け得る可撓性を有するバンド本体と、前記バンド本体の一端部が取り付けられると共にバンド本体の開放端側からバックル自体に挿通し、任意位置でバンド本体を係止し得るようにしたバックルとを備え、バンド本体はその前面側で開放端寄りの所定範囲には多数の鋸歯状突起からなるラチエットが形成され、かつバックルは 前記ラチエットに係止し得る単数の
突起からなる
が一端に形成された係合部材を有し
しかもバックルはバックル自体に間隔を隔てて立設された両側壁部間に隙間を隔てて係合部材が配置されて構成され
係合部材は
係合部材の一端に形成された前記係止突部
レバーに前記復元力と逆方向のトルクを加えたときに
解除できる
さらにバックルにはその一端部に固定突部を立設し、
連結部に対して一方側に、係止突部は連結部に対して反対側に前記連結部から所定距離を隔てた位置に下向きに単数形成され、係合部材の他端部に形成された係合解除レバーと固定突部とを指等で挟持することにより
【請求項３】　陰茎を絞扼することにより勃起を助長すると共に勃起を持続させるためのバンドであって、陰茎に巻き付け得る可撓性を有するバンド本体と、前記バンド本体の一端部が取り付けられると共にバンド本体の開放端側からバックル自体に挿通し、任意位置でバンド本体を係止し得るようにしたバックルとを備え、バンド本体の前面側で開放端寄りの所定範囲には多数の鋸歯状突起からなるラチエットが形成され、
かつ
基部付近が曲がった状態に片持梁部が突設されると共に片持梁部には
鋸歯状の係止突部が形成され、
【請求項４】　請求項
１〜請求項３のいずれか１項に記載のバンドにおいて、バンド本体とバックルは合成樹脂で構成されてい
【請求項５】　請求項１〜請求項４のいずれか１項に記載のバンドにおいて、前記係止突部が係合され得る部分を除いたバンド本体の全体もしくは一部あるいはバックルの全体もしくは一部を柔軟粘着性クッション材で覆うようにしたバンド。」（下線部分は本件補正によって追加された箇所）と補正するものである。
　
２．補正の目的の適否
　本件補正は、請求項１ないし３については、本件補正前の特許請求の範囲の請求項２ないし５を削除し、本件補正前の請求項１に択一的に記載されていた係脱機構を、それぞれの請求項１ないし３に分け独立請求項とするとともに、上記下線部分を追加補正したものであり、請求項４については、請求項１ないし３を引用するとともに、本件補正前の特許請求の範囲の請求項２ないし４の発明特定事項である「バンド本体とバックルは合成樹脂で構成される」を発明特定事項としたものであり、請求項５については、本件補正前の特許請求の範囲の請求項６を繰り上げたものである。
　そして、請求項２についての下線部分の追加補正は、実質的に、係止突部を「単数の突起」と限定するとともに係合部を「係合部材」とし、バックルの構成について、「バックルはバックル自体に間隔を隔てて立設された両側壁部間に隙間を隔てて係合部材が配置されて構成され」と限定し、解除レバーの解除について、「解除レバーに前記復元力と逆方向のトルクを加えたとき」と限定し、固定突部と係止突部の形成について、「バックルにはその一端部に固定突部を立設し、かつ固定突部は前記連結部に対して一方側に、係止突部は連結部に対して反対側に前記連結部から所定距離を隔てた位置に下向きに単数形成され」と限定するものである。
　したがって、請求項２についての本件補正は、特許法第１７条の２第４項第２号の特許請求の範囲の減縮を目的とするものに該当する。
　
３．独立特許要件
　そこで本件補正後の請求項２に係る発明（以下、「本願補正発明」という。）が特許出願の際独立して特許を受けることができるものであるか（特許法第１７条の２第５項において準用する同法第１２６条第５項の規定に違反するか）について以下検討する。
　
（１）引用例
　原査定の拒絶の理由に引用された実願昭６０−１７２９３３号（実開昭６２−８２０２５号）のマイクロフィルム（以下、「引用例１」という。）、特開昭５０−６５３９２号公報（以下、「引用例２」という。）には、次の事項が図面とともに記載されている。
ア．引用例１
（ア）「主体部と、該主体部の一端部に形成の係合雄部及び他端部に形成の係合雌部とをゴム、合成樹脂等の弾性材により一体成形した円環状リングにおいて、
　前記係合雄部は、主体部の内径より若干大きく形成された平坦内壁面以外の外周壁面に複数段の係止突起を形成し、
　前記係合雌部は、端面より前記係合雄部の挿入孔を形成すると共に、外周壁面中央に前記挿入孔に連通するスリツトの形成により拡開可能に分離され、該各分離片の内壁面に前記係合雄部の係止突起を係合する複数段の係止凹部を形成すると共に、前記各分離片の外周壁面に形成した長溝に各分離片を開離接合する緊定具をスライド可能に嵌合した、ことを特徴とする陰萎医療器。」（【実用新案登録請求の範囲】）
（イ）「（産業上の利用分野）本考案は、陰茎海綿体を包被する白膜の圧縮力低下に伴う海綿体よりの血液の逸散を人工的に矯正する陰萎医療器に関する。」（明細書２頁２行〜５行）
（ウ）「本考案の医療器を使用するに当っては、緊定具２を矢印ｏ方向にスライドして長溝１ｃ５の終端部に位置させた円環状リング１を、その主体部１ａを陰茎の根部上面に当てがい、係合雄部１ｂを係合雌部１ｃの挿入孔１ｃ１に挿入しながら陰茎の周囲へ巻付け（分離片１ｃ３の拡開により挿入が容易）、適度の緊縛状態において緊定具２を矢印ｃ方向にストッパー部１ｃ６までスライドして各分離片１ｃ３を接合すれば、係合雄部１ｂの係止突起１ｂ２が係合雌部１ｃの係止凹部１ｃ４に係合し、適度の緊縛状態における円環状リング１の内径が保持される。したがって、係合雄部１ｂの係合雌部１ｃへの挿入長さを調整することにより、円環状リング１の内径を種々変えることができる。」（明細書６頁５行〜１９行）
（エ）図１には、主体部１ａと、該主体部１ａの一端部に形成の係合雄部１ｂ及び他端部に形成の係合雌部１ｃとからなる円環状リング１が図示されている。
　
　上記（ア）〜（エ）の記載事項及び図示内容からみて、引用例１には次の発明（以下、「引用発明」という。）が記載されていると認められる。
「陰茎の根部周囲へ巻き付ける主体部１ａと、該主体部１ａの一端部に形成の係合雄部１ｂ及び他端部に形成の係合雌部１ｃとをゴム、合成樹脂等の弾性材により一体成形した円環状リング１であって、係合雄部１ｂを係合雌部１ｃに挿入し、両者を係合して内径を保持するとともに、係合雄部１ｂの係合雌部１ｃへの挿入長さを調整することにより、内径を種々変えることができる円環状リング１。」
　
イ．引用例２
（ア）「図面に示すように、本発明のプラスチツクで一体成形された帯型クランプ１０（第１、４図）は細長いベース部分１２を備えており、このベース部分の少なくとも中間部分には横向きの歯１４を彫設してある。」（３頁左上欄１３行〜１７行）
（イ）「クランプの巾の広い反対側端部には前記の歯１４を彫設した面と反対側のベース部分１８の側面から互に平行に離れて直立した１対の脚部２２、２２が突出している。両方の脚部２２の上端は橋部２４（第１、３、４図）によつて互に一体に結合されている。この橋部２４は脚部２２の剛性を増加させる作用の他に迅速解除レバーすなわちラツチレバー２６を支持する弾性継手の役目もしている。橋部２４の断面は第１、５図に示すように四角形にするのが望ましく、且つその全長のほぼ中間部でレバー２６と一体となつてレバーを脚部２２、２２の間でヒンジ運動自在に支持するようになつている。レバー２６の橋部２４の片側には操作用自由端２８が、また前記枢着継手の軸線の反対側には噛合端部３０が各々形成されている。噛合端部３０の拡大端部には横方向の歯３２が形成されている。」（３頁左上欄２０行〜右上欄１７行）
（ウ）「この歯３２はベース部分１２を結束すべき物品、例えば電線（第１図）の囲りに巻きつけ、両脚部２２の間の部分１８上に導びいた時に、第３図に示すように歯１４と噛合う角度を成して押圧されている。ベース部分１２を電線Ｗのような物品の囲りにぴんと張るための張力は噛合つている歯１４、３２によつて生じる。ラツチレバー２６は第３図に示す保持位置から時計方向に回転することできないので、クランプ１０は物品Ｗを結束状態に緊定する。」（３頁右上欄１７行〜左下欄６行）
（エ）「このクランプを物品から解放する際には操作用自由端２８にトルクを加えてそれを第５図に示すように反時計方向に動かすことによつて迅速に解除が行える。すなわち、継手部分２４及び噛合端部３０の反時計方向運動によつて歯３２は歯１４から外れる。その結果、物品を固定したり解放したりするためのループの寸法を適当に調節するようにベース部分１２を端部３０に対して縦方向に移動、変位させることができる。」（３頁左下欄１２行〜２０行）
（オ）第１図〜第４図には、中間部分に多数の鋸歯状突起からなる歯１４を形成した細長いベース部分と、細長いベース部分の一端部が取り付けられたベース部分１８、ベース部分１８の側面に間隔を隔てて立設された１対の脚部２２、２２、両方の脚部２２の上端を互いに連結した橋部２４、この橋部２４の中間部に、橋部２４と隙間を隔ててヒンジ運動自在に支持され、一端に操作用自由端２８が、他端に歯３２を有する噛合端部３０が形成されたラツチレバー２６からなる係止部材と、を備えた緊定クランプ１０が図示されている。
　
　上記（ア）〜（オ）の記載事項及び図示内容からみて、引用例２には次の発明（以下、「引用発明２」という。）が記載されていると認められる。
「係止部材に細長いベース部分の一端部が取り付けられた緊定クランプ１０であって、細長いベース部分は中間部分に多数の鋸歯状突起からなる歯１４が形成され、係止部材は、細長いベース部分の一端部が取り付けられたベース部分１８と、ベース部分１８の側面に間隔を隔てて立設された１対の脚部２２、２２と、両方の脚部２２の上端を互いに連結した橋部２４と、この橋部２４の中間部に、橋部２４と隙間を隔ててヒンジ運動自在に支持され、一端に操作用自由端２８が、他端に歯３２を有する噛合端部３０が形成されたラツチレバー２６とから構成され、ラツチレバー２６の操作用自由端２８にトルクを加えて回動することによって迅速に係合が解除できるようにされた緊定クランプ１０。」
　
（２）対比・判断
　本願補正発明と引用発明を比較する。
　引用発明の「円環状リング１」は、陰茎海綿体を包被する白膜の圧縮力低下に伴う海綿体よりの血液の逸散を人工的に矯正する陰萎医療器であるから、引用発明の「円環状リング１」と本願補正発明の「バンド」は、陰茎を絞扼することにより勃起を助長すると共に勃起を持続させるための器具である点で共通する。
　また、引用発明の「主体部１ａ」と本願補正発明の「バンド本体」は、陰茎に巻き付けるものであって可撓性を有するものであるから、陰茎に巻き付け得る可撓性を有する器具本体である点で共通する。
　更に、引用発明の「係合雄部１ｂを係合雌部１ｃ」と本願補正発明の「バックル」とは、任意位置で器具本体を係止し得る係脱機構である点で共通する。
　してみれば、両者は、
「陰茎を絞扼することにより勃起を助長すると共に勃起を持続させるための器具であって、陰茎に巻き付け得る可撓性を有する器具本体と、任意位置で器具本体を係止し得る係脱機構を備えた器具。」である点で一致し、次の点で相違する。
＜相違点１＞
　器具（器具本体）に関し、本願補正発明はバンド（バンド本体）であるのに対して、引用発明は円環状リング１（主体部１ａ）である点。
＜相違点２＞
　係脱機構に関し、本願補正発明は、バンド本体の一端部が取り付けられると共にバンド本体の開放端側からバックル自体に挿通し、任意位置でバンド本体を係止し得るようにしたバックルとを備え、バンド本体はその前面側で開放端寄りの所定範囲には多数の鋸歯状突起からなるラチエットが形成され、かつバックルは 前記ラチエットに係止し得る単数の突起からなる係止突部が一端に形成された係合部材を有し、バンド本体は締まる方向には移動させ得るが逆方向には移動できないようにバックルに係合し、しかもバックルはバックル自体に間隔を隔てて立設された両側壁部間に隙間を隔てて係合部材が配置されて構成され、かつ係合部材はその中間部両側においてバックルと一体をなす連結部により回動方向に弾性変形可能に連結され、係合部材の一端に形成された前記係止突部は前記連結部の弾性による復元力によりラチエットに係合され、係止部材の他端部側に設けられた係合解除レバーに前記復元力と逆方向のトルクを加えたときに前記係合が解除できるようにされ、さらにバックルにはその一端部に固定突部を立設し、かつ固定突部は前記連結部に対して一方側に、係止突部は連結部に対して反対側に前記連結部から所定距離を隔てた位置に下向きに単数形成され、係合部材の他端部に形成された係合解除レバーと固定突部とを指等で挟持することによりバンド本体とバックルとの係合が外れるように構成しているのに対して、引用発明は、係合雄部１ｂを係合雌部１ｃから構成している点。
　
　そこで、上記相違点１、２について以下検討する。
ア．相違点１について
　一般に締め付け手段としてバンドを用いることは周知の技術であるから（例えば、登録実用新案第３０２４２７３号公報、特開平１０−１４７３６１号公報、実願平１−１０３７２５号（実開平３−４３４７２号）のマイクロフィルム、引用例２参照）、締め付け手段の一種である器具（器具本体）としてバンドを用い、本願補正発明の上記相違点１に係る発明特定事項とすることは当業者が容易に想到し得たことである。
イ．相違点２について
　引用発明２において、「細長いベース部分」、「係止部材」、「歯１４」、「ラッチレバー２６」、「１対の脚部２２、２２」、「橋部２４」、「操作用自由端２８」は、その機能、構造からみて、本願補正発明の「バンド本体」、「バックル」、「ラチエット」、「係合部材」、「両側壁部」、「連結部」、「係合解除レバー」に各々相当する。そして、引用発明２の細長いベース部分（バンド本体）は、係止部材（バックル）に、開放端側から挿通し、任意位置で係止されるものであり、歯１４，歯３２の構造からみて、締まる方向には移動できるが逆方向には移動できないように係合していると云える。
　また、橋部２４は、ラッチレバー２６を支持する弾性継手の役目をしているから（第２．３．（１）イ．（イ）参照）、ラツチレバー２６はその中間部両側において、１対の脚部２２、２２（両側壁部）に橋部２４（連結部）により回動方向に弾性変形可能に連結されていると云える。
　更に、引用発明２の「緊定クランプ１０」と本願補正発明の「バンド」は、締め付け機能を有したバンドである点で共通する。
　してみれば、引用発明２は、本願補正発明の文言を用いて表現すると、
「バンド本体の一端部が取り付けられると共にバンド本体の開放端側からバックル自体に挿通し、任意位置でバンド本体を係止し得るようにしたバックルとを備え、バンド本体は多数の鋸歯状突起からなるラチエットが形成され、かつバックルは 前記ラチエットに係止し得る係合部材を有し、バンド本体は締まる方向には移動させ得るが逆方向には移動できないようにバックルに係合し、しかもバックルはバックル自体に間隔を隔てて立設された両側壁部間に隙間を隔てて係合部材が配置されて構成され、かつ係合部材はその中間部両側においてバックルと一体をなす連結部により回動方向に弾性変形可能に連結され、係止部材の他端部側に設けられた係合解除レバーにトルクを加えたときに前記係合が解除できるようにされたバンド。」の発明であると云える。
　そして、多数の鋸歯状突起からなるラチエットをバンド本体のどの部分に形成するかは当業者が必要に応じて適宜なし得る設計的事項であり、係合部材を、単数の突起からなる係止突部を一端に形成した係合部材とし、該係止突起を弾性によってラチェットに係合することは周知の技術である（例えば、特開平１−１５１４０２号公報、特開平１０−１４７３６１号公報参
照）。
　また、係止手段において、係合解除レバーと固定突部を指で挟持し、係合が外れるように構成することも周知の技術である（例えば、特開平１０−１２９８４８号公報、特開平８−２４４９８９号公報、実願平１−５５１９５号（実開平２−１４５２３７号）のマイクロフィルム参照）。
　してみれば、本願補正発明の上記相違点２に係る発明特定事項は、引用発明１、２、及び周知の技術に基いて当業者が容易に想到し得たことである。
　
　そして、上記相違点１、２によって、本願補正発明が奏する作用、効果は、引用発明１、２、及び周知の技術から予測される範囲のものであって、格別なものではない。
　
　したがって、本願補正発明は、引用発明１、２、及び周知の技術に基いて当業者が容易に発明をすることができたものであるから、特許法第２９条第２項の規定により、特許出願の際独立して特許を受けることができない。
　
４．むすび
　よって、本件補正は、特許法第１７条の２第５項において準用する同法第１２６条第５項の規定に違反するので、特許法第１５９条第１項において読み替えて準用する同法第５３条第１項の規定により却下すべきものである。
　
第３．本願発明
　本件補正は、上記のとおり却下されたので、本願の請求項１に係る発明（以下、「本願発明」という。）は、本件補正前の特許請求の範囲の請求項１に記載された事項により特定される次のとおりのものである。
「陰茎を絞扼することにより勃起を助長すると共に勃起を持続させるためのバンドであって、陰茎に巻き付け得る可撓性を有するバンド本体と、前記バンド本体の一端部が取り付けられると共にバンド本体の開放端側からバックル自体に挿通し、任意位置でバンド本体を係止し得るようにしたバックルとを備え、かつバックルはバックル自体の一方の端部側からバンド本体の端部が取り付けられている他方の端部側に向かってバンド本体を挿通し得るようにされ、しかもバンド本体の前面側で開放端寄りの所定範囲には多数の鋸歯状突起からなるラチエットが形成され、バックルには前記ラチエットに係止し得る単数もしくは複数の鋸歯状部を有する係止突部が前記バンド本体を挿通すべき部分に設けられて、バンド本体は締まる方向には移動させ得るが逆方向には移動できないようにバックルに係合し、前記係止突部とラチエットとの係合を外すことによって、バンド本体を係合したバックルから取り外し、あるいは自由に移動できるようにした係脱機構を設け、前記係脱機構はバックルがバックル本体とバックルカバーとに２分されると共にバックルカバーはその一端部で回動可能にバックル本体に取り付けられ、バックル本体にはバンド本体の一端部が連結されると共にバンド本体とバックルカバーとの間にバンド本体の挿入部が形成され、かつバックルカバーの内側部にはバンド本体のラチエットに係止させ得る単数もしくは複数の鋸歯状部を有する係止突部が設けられ、さらにバンド本体とバックルカバーには、両者を互いに掛け止めさせ得る凹凸部もしくは段付き部と引掛り等の掛止部を設け、前記バンド本体とバックルカバーとが互いに掛け止めされたとき、前記係止突部はラチエットに係止され、バックルカバーに設けた引掛かり等により前記掛け止めを外す方向の力を加えて、バンド本体とバックルとの係合が外れるように構成され、あるいは前記係脱機構はバックルに係合部が設けられてなり、しかも係合部は先端部と他端部にそれぞれ前記ラチエットに係止し得る係止突部とラチエットとの係合を外すための係合解除レバーとが形成され、かつ係合部はその中間部両側においてバックルと一体をなす連結部により回動方向に弾性変形可能に連結され、前記係止突部は前記連結部の弾性による復元力によりラチエットに係止され、係合解除レバーを操作して前記係止突部とラチエットとの係合が外れるようにし、かつ係合解除レバーの前記操作は係合解除レバーと対向する位置にバックル上に設けられた固定突部と係合解除レバーとを挟持することにより行うように構成され、あるいは前記係脱機構はバックルが前後面に沿う方向に前部バックル部と後部バックル部とに２分されると共にバックル自体の薄肉部によって両部は一側端部で開閉可能に連結され、後部バックル部にはバンド本体の一端部が連結されると共に前部バックル部と後部バックル部との間にはバンド本体の挿入部が形成され、かつ前部バックル部の内側部にはバンド本体のラチエットに係止させ得る単数もしくは複数の鋸歯状部を有する係止突部が設けられ、さらに前記前部バックル部と後部バックル部の開放端側には、両者を互いに掛け止めさせ得る凹凸部もしくは段付き部と引掛り等の掛止部を設け、前部バックル部と後部バックル部とが互いに掛け止めされたとき、前記係止突部はラチエットに係止され、前部バックル部もしくは前部バックル部に設けた引掛かり等により前記掛け止めを外す方向の力を加えて、バンド本体とバックルとの係合が外れるように構成されたバンド。」
　
第４．引用例
　原査定の拒絶の理由に引用された引用例１、２、及びその記載事項は、前記第２．３．（１）に記載したとおりである。
　
第５．対比・判断
　本願発明は、本件補正後の請求項１、２、３に係る発明の係脱機構を択一的なものとして備えると共に、本件補正後の請求項２に係る発明（本願補正発明）の係脱機構の部分に関しては、実質的には、「単数の突起」からなる係止突部を「単数もしくは複数の鋸歯状部を有する」係止突部とし、係合部材を係合部とし、「バックルはバックル自体に間隔を隔てて立設された両側壁部間に隙間を隔てて係合部材が配置されて構成され」を省き、解除レバーの解除についての「解除レバーに前記復元力と逆方向のトルクを加えたとき」の限定を省き、「バックルにはその一端部に固定突部を立設し、かつ固定突部は前記連結部に対して一方側に、係止突部は連結部に対して反対側に前記連結部から所定距離を隔てた位置に下向きに単数形成され」を省いたものであり、更に、「バックルはバックル自体の一方の端部側からバンド本体の端部が取り付けられている他方の端部側に向かってバンド本体を挿通し得るようにされ、」、「バックルには…係止突部がバンド本体を挿通すべき部分に設けられて」を付加するものである。
　ところで、付加された発明特定事項は、「バンド本体の開放端側からバックル自体に挿通し、…したバックル」の発明特定事項において、バンド本体の挿通が可能な方向のうち一つの方向を単に特定したにすぎないものであり、また、係止突部が当然に設置される位置を明確にしたにすぎないものであり、且つ周知の技術である（例えば、実願平１−１０３７２５号（実開平３−４３４７２号）のマイクロフィルム参照））。
　そうすると、本願発明の発明特定事項を含む本願補正発明が、前記第２．３．に記載したとおり、引用発明１、２、及び周知の技術に基いて当業者が容易に発明をすることができたものであり、付加された発明特定事項が周知の技術である以上、本願発明も、同様に、引用発明１、２、及び周知の技術に基いて当業者が容易に発明をすることができたものである。
　
第６．むすび
　以上のとおり、本願発明は、引用発明１、２、及び周知の技術に基いて当業者が容易に発明をすることができたものであるから、特許法第２９条第２項の規定により特許を受けることができない。
　よって、結論のとおり審決する。